(57)【要約】【課題】  電気的な照明器具を備えた看板を改良して、自然エネルギーの利用を図り、商用電源の消費を節減し、電力料金の節約を図り、かつ、間接的ながら二酸化炭素排出量の低減に貢献する。【解決手段】  １はＬＥＤ内照型看板であり、多数のＬＥＤを内蔵していて、直流電力の供給を必要とする。所要電力は、ソーラ発電器２によって供給するが、一旦蓄電地５に蓄電しておいて、手動開閉器１６を介して前記ＬＥＤ内照型看板１に給電する。ソーラ発電器２の発電量の不足分は商用電源３で補う。このため、商用電源を整流器４で整流し、発電受電切換スイッチ７によって自家発電（ソーラ発電）と外部電力（商用電源）とを切換えて使用する。【選択図】  図１
2006337885.tif 000002
【特許請求の範囲】
【請求項１】
自家発電手段を備え、かつＬＥＤを光源とする看板（１）であって、
ソーラ発電器（２）と、
商用電源（３）を整流して、上記ソーラ発電器の定格電圧とほぼ等しい電圧の直流電力を供給する整流器（４）と、  
充放電制御器（６）を備えた蓄電地（５）と、
上記蓄電地の充放電状態を検知して前記充放電制御器（６）に対して、ソーラ発電器（２）または整流器（４）を切り換え接続する発電受電切換スイッチ（７）とを具備し、
前記充放電制御器（６）の出力側に、前記の看板（１）が接続されていることを特徴とする、発電手段を備えたＬＥＤ式看板。  
【請求項２】
自家発電手段を備え、かつＬＥＤを光源とする看板（１）であって、
風力発電機（１０）と、
商用電源（３）を整流して、上記風力発電機の定格電圧とほぼ等しい電圧の直流電力を供給する整流器（４）と、  
充放電制御器（６）を備えた蓄電地（５）と、
上記蓄電地の充放電状態を検知して前記充放電制御器（６）に対して、ソーラ発電器（２）または整流器（４）を切り換え接続する発電受電切換スイッチ（７）とを具備し、
前記充放電制御器（６）の出力側に、前記の看板（１）が接続されていることを特徴とする、発電手段を備えたＬＥＤ式看板。
【請求項３】
自家発電手段を備え、かつＬＥＤを光源とする看板（１）であって、
ソーラ発電器（２）と、
商用電源（３）を整流して、上記ソーラ発電器の定格電圧とほぼ等しい電圧の直流電力を供給する整流器（４）と、  
充放電制御器（６）を備えた蓄電地（５）と、
前記ソーラ発電器の発生電圧を検知し、前記の充放電制御器（６）に対して、前記ソーラ発電器（２）または整流器（４）を切り換え接続する発電受電切換スイッチ（７）と、
前記ＬＥＤ式看板（１）付近の明るさを検知する環境光センサ（８）と、
上記環境光センサの検出信号を入力される自動点滅スイッチ（１１）とを具備し、
前記充放電制御器（６）の出力側が、上記環境光センサを介して前記の看板（１）に接続されていることを特徴とする、発電手段を備えたＬＥＤ式看板。
【請求項４】
自家発電手段を備え、かつＬＥＤを光源とする看板（１）であって、
ソーラ発電器（２）と、
商用電源（３）を整流して、上記ソーラ発電器の定格電圧とほぼ等しい電圧の直流電力を供給する整流器（４）と、  
前記ソーラ発電器（２）の出力端子に接続された充放電制御器（６）を備えた蓄電地（５）と、
上記充放電制御器（６）の出力電力と、前記整流器（４）の出力電力との何れか一方を、看板（１）に対して切換え接続し、または、充放電制御器（６）の出力電力と、前記整流器（４）の出力電力との両方を看板（１）に対して遮断する機能を有する受発電切換・点滅制御スイッチ（１３）と、
を具備していることを特徴とする、発電手段を備えたＬＥＤ式看板。
【請求項５】
自家発電手段を備え、かつＬＥＤを光源とする看板（１）であって、
風力発電機（１０）と、
商用電源（３）を整流して、上記ソーラ発電器の定格電圧とほぼ等しい電圧の直流電力を供給する整流器（４）と、  
前記風力発電機の出力端子に接続された充放電制御器（６）を備えた蓄電地（５）と、
上記充放電制御器（６）の出力電力と、前記整流器（４）の出力電力との何れか一方を、看板（１）に対して切換え接続し、または、充放電制御器（６）の出力電力と、前記整流器（４）の出力電力との両方を看板（１）に対して遮断する機能を有する受発電切換・点滅制御スイッチ（１３）と、
を具備していることを特徴とする、発電手段を備えたＬＥＤ式看板。
【請求項６】
自家発電手段を備え、かつＬＥＤを光源とする看板（１）であって、
交流風力発電機（１５）と、
整流器（４）と、
上記の整流器に対して、交流風力発電機（１５）の出力電力または商用電源（３）の何れかを選択的に切換え接続する発電受電切換スイッチ（７）と、
前記交流風力発電機（１５）の出力電力を検知して上記発電受電切換スイッチ（７）を作動させる受電発電切換制御器（１４）と、
前記整流器（４）の出力側に接続された充放電制御器（６）および蓄電地（５）と、を具備し、
上記充放電制御器（６）が、スイッチ手段（１６）を介して看板（１）に接続されていることを特徴とする、発電手段を備えたＬＥＤ式看板。
【発明の詳細な説明】
【技術分野】
【０００１】
本発明は、自然エネルギーを利用する自家発電手段を備え、かつ、ＬＥＤを光源とする看板に関するものであり、特に、深夜も営業する店舗の内照型看板として好適なものである。
【背景技術】
【０００２】
例えばコンビニエンスストアーは、早朝，深夜も営業するので、照明用の消費電力が少なくない。
消費電力が大きいことは、営業経費を増大させるのみでなく、間接的には二酸化炭素の排出量を増加させて地球温暖化を促進する。
こうした問題に対応するため、自然エネルギーを利用する自家発電が推奨されており、これを具体化する発明も種々提案されている。すなわち、
特開２００４−３０３６０２号公報には、太陽電池を用いて誘導灯を点灯させる技術が開示されており、
特開２００４−３３４１６０号公報には、太陽電池を用いてＬＥＤ道路標識を点灯させる技術が開示されており、
特開２００４−３６１５１２号公報には、太陽電池を用いて楽器用電子機器を作動させる技術が開示されており、
特開２００５−１６８６９号公報には、ソーラー発電器による換気の技術が開示されている。
【特許文献１】特開２００４−３０３６０２号公報
【特許文献２】特開２００４−３３４１６０号公報
【特許文献３】特開２００４−３６１５１２号公報
【特許文献４】特開２００５−１６８６９号公報
【発明の開示】
【発明が解決しようとする課題】
【０００３】
太陽電池（ソーラー発電器）を用いて有効な電力を発生させ、産業活動ないし民生活動に利用することは種々工夫されているが、自然エネルギーを利用した電源装置は、使用目的に応じた特性が要求される。
例えばコンビニエンスストアーのように、深夜早朝に営業する店舗の看板にソーラー発電器を利用しようとすると、
ａ．自家発電の稼働時間と、照明器具作動時間とのずれ。  
ｂ．自家発電の電力量と、照明器具の所要電力量との不整合。
といった難問が有る。
【０００４】
ソーラー発電器は昼間の日照時にのみ発電が可能であるのに対して、店舗の看板は主として夜間に照明を必要とし、時間的なずれが有る。  
また、店舗の看板に必要とされる電力はほぼ一定であって変化しないのに対して、ソーラー発電の電力は季節，天候，時刻によって著しく変動し、電力量の需給がバランスしない。
ソーラー発電の代りに風力発電の利用を図っても、ソーラー発電器の場合と同様に
ａ．自家発電の稼働時間と、照明器具作動時間とのずれ。および、  
ｂ．自家発電の電力量と、照明器具の所要電力量との不整合。という問題を生じる。
【０００５】
本発明は以上に述べた事情に鑑みて為されたものであって、その目的とするところは、
自家発電の稼働時間と照明器具作動時間との時間的なずれを調整することができ、かつ、
自家発電の電力量と、照明器具の所要電力量との動力的不整合を解消することのできる、
自然エネルギーを利用した照明技術を提供するにある。本発明は、特に、深夜営業店舗の看板に好適である。
【課題を解決するための手段】
【０００６】
上記の目的を達成するために創作した請求項１に係る発明の構成は、（図１参照）
自家発電手段を備え、かつＬＥＤを光源とする看板（１）であって、
ソーラ発電器（２）と、
商用電源（３）を整流して、上記ソーラ発電器の定格電圧とほぼ等しい電圧の直流電力を供給する整流器（４）と、  
充放電制御器（６）を備えた蓄電地（５）と、
上記蓄電地の充放電状態を検知して前記充放電制御器（６）に対して、ソーラ発電器（２）または整流器（４）を切り換え接続する発電受電切換スイッチ（７）とを具備し、
前記充放電制御器（６）の出力側に、前記の看板（１）が接続されていることを特徴とする。  
【０００７】
請求項２に係る発明の構成は、（図２参照）
自家発電手段を備え、かつＬＥＤを光源とする看板（１）であって、
風力発電機（１０）と、
商用電源（３）を整流して、上記風力発電機の定格電圧とほぼ等しい電圧の直流電力を供給する整流器（４）と、  
充放電制御器（６）を備えた蓄電地（５）と、
上記蓄電地の充放電状態を検知して前記充放電制御器（６）に対して、ソーラ発電器（２）または整流器（４）を切り換え接続する発電受電切換スイッチ（７）とを具備し、
前記充放電制御器（６）の出力側に、前記の看板（１）が接続されていることを特徴とする。
【０００８】
請求項３に係る発明の構成は、（図３参照）
自家発電手段を備え、かつＬＥＤを光源とする看板（１）であって、
ソーラ発電器（２）と、
商用電源（３）を整流して、上記ソーラ発電器の定格電圧とほぼ等しい電圧の直流電力を供給する整流器（４）と、  
充放電制御器（６）を備えた蓄電地（５）と、
前記ソーラ発電器の発生電圧を検知し、前記の充放電制御器（６）に対して、前記ソーラ発電器（２）または整流器（４）を切り換え接続する発電受電切換スイッチ（７）と、
前記ＬＥＤ式看板（１）付近の明るさを検知する環境光センサ（８）と、
上記環境光センサの検出信号を入力される自動点滅スイッチ（１１）とを具備し、  前記充放電制御器（６）の出力側が、上記環境光センサを介して前記の看板（１）に接続されていることを特徴とする。
【０００９】
請求項４に係る発明の構成は、（図４参照）
自家発電手段を備え、かつＬＥＤを光源とする看板（１）であって、
ソーラ発電器（２）と、
商用電源（３）を整流して、上記ソーラ発電器の定格電圧とほぼ等しい電圧の直流電力を供給する整流器（４）と、  
前記ソーラ発電器（２）の出力端子に接続された充放電制御器（６）を備えた蓄電地（５）と、
上記充放電制御器（６）の出力電力と、前記整流器（４）の出力電力との何れか一方を、看板（１）に対して切換え接続し、または、充放電制御器（６）の出力電力と、前記整流器（４）の出力電力との両方を看板（１）に対して遮断する機能を有する受発電切換・点滅制御スイッチ（１３）と、
を具備していることを特徴とする。
【００１０】
請求項５に係る発明の構成は、
自家発電手段を備え、かつＬＥＤを光源とする看板（１）であって、
風力発電機（１０）と、
商用電源（３）を整流して、上記ソーラ発電器の定格電圧とほぼ等しい電圧の直流電力を供給する整流器（４）と、  
前記風力発電機の出力端子に接続された充放電制御器（６）を備えた蓄電地（５）と、
上記充放電制御器（６）の出力電力と、前記整流器（４）の出力電力との何れか一方を、看板（１）に対して切換え接続し、または、充放電制御器（６）の出力電力と、前記整流器（４）の出力電力との両方を看板（１）に対して遮断する機能を有する受発電切換・点滅制御スイッチ（１３）と、
を具備していることを特徴とする。
【００１１】
請求項６に係る発明の構成は、（図５参照）
自家発電手段を備え、かつＬＥＤを光源とする看板（１）であって、
交流風力発電機（１５）と、
整流器（４）と、
上記の整流器に対して、交流風力発電機（１５）の出力電力または商用電源（３）の何れかを選択的に切換え接続する発電受電切換スイッチ（７）と、
前記交流風力発電機（１５）の出力電力を検知して上記発電受電切換スイッチ（７）を作動させる受電発電切換制御器（１４）と、
前記整流器（４）の出力側に接続された充放電制御器（６）および蓄電地（５）と、を具備し、
上記充放電制御器（６）が、スイッチ手段（１６）を介して看板（１）に接続されていることを特徴とする。
【発明の効果】
【００１２】
請求項１の発明に係る看板を適用すると、ソーラ発電器が昼間の日照時に発生した直流電力を蓄電地に蓄えておいて、夜間営業の店舗看板を照明することができる。
しかも、整流器が併設されているので、ソーラ発電電力の不足分は商用電源で補うことができる。このため大型看板を充分に照明することもでき、梅雨期などの日照不足時にも照明を行なうことができる。
また、ＬＥＤを光源としているので、調光が可能であって、光公害対策ができる。
本発明装置は、蓄電地の充放電状態を監視し、充放電制御器に対して、ソーラ発電器と整流器とを切り換える発電受電切換スイッチを有しているので、蓄電地を常にほぼ完全充電状態に維持することができ、照明作動の信頼性が高い。  
この請求項１の発明を適用すると、ＬＥＤを光源としているので、大形看板を高照度で照明しても消費電力が少なく、その上、消費電力の大半を自然エネルギー（太陽光）で賄うので、商用電源の消費量が顕著に低減される。
商用電源の低減は、照明経費を節減し得るのみでなく、間接的ながら二酸化炭素の排出量を減らして、地球温暖化防止に貢献するところ多大である。
【００１３】
請求項２の発明に係る看板を適用すると、風が吹いている時に風力発電機が発生した直流電力を蓄電地に蓄えておいて、夜間営業の店舗看板を照明することができる。
しかも、整流器が併設されているので、風力発電電力の不足分は商用電源で補うことができる。このため大型看板を充分に照明することもでき、無風時などの発電量不足時にも照明を行なうことができる。
また、ＬＥＤを光源としているので、調光が可能であって、光公害対策ができる。
本発明装置は、蓄電地の充放電状態を監視し、充放電制御器に対して、風力発電機と整流器とを切り換える発電受電切換スイッチを有しているので、蓄電地を常にほぼ完全充電状態に維持することができ、照明作動の信頼性が高い。    
この請求項２の発明を適用すると、ＬＥＤを光源としているので、大形看板を高照度で照明しても消費電力が少なく、その上、消費電力の大半を自然エネルギー（風力）で賄うので、商用電源の消費量が顕著に低減される。
商用電源の低減は、照明経費を節減し得るのみでなく、間接的ながら二酸化炭素の排出量を減らして、地球温暖化防止に貢献するところ多大である。
【００１４】
請求項３の発明に係る看板を適用すると、ソーラ発電器が昼間の日照時に発生した直流電力を蓄電地に蓄えておいて、夜間営業の店舗看板を照明することができる。
しかも、整流器が併設されているので、ソーラ発電電力の不足分は商用電源で補うことができる。このため、大型看板を充分に照明することもでき、梅雨期などの日照不足時にも照明を行なうことができる。
また、ＬＥＤを光源としているので、調光が可能であって、光公害対策ができる。
本発明装置は、ソーラ発電器の発電状態を監視し、充放電制御器に対して、ソーラ発電器と整流器とを切り換える発電受電切換スイッチを有しているので、ソーラ発電器の発電電力が無駄無く利用される。
その上、看板付近の明暗に応じて自動的に照明が点滅されるので、消費電力の無駄が無い。
この請求項３の発明を適用すると、ＬＥＤを光源としているので、大形看板を高照度で照明しても消費電力が少なく、その上、消費電力の大半を自然エネルギー（太陽光）で賄うので、商用電源の消費量が顕著に低減される。
商用電源の低減は、照明経費を節減し得るのみでなく、間接的ながら二酸化炭素の排出量を減らして、地球温暖化防止に貢献するところ多大である。
【００１５】
請求項４の発明に係る看板を適用すると、ソーラ発電器が昼間の日照時に発生した直流電力を蓄電地に蓄えておいて、夜間営業の店舗看板を照明することができる。
しかも、整流器が併設されているので、ソーラ発電電力の不足分は商用電源で補うことができる。このため、大型看板を充分に照明することもでき、梅雨期などの日照不足時にも照明を行なうことができる。
また、ＬＥＤを光源としているので、調光が可能であって、光公害対策ができる。
その上、ソーラ発電電力を備蓄する蓄電地と、商用電源を整流する整流器とを受発電切換・点滅制御スイッチによって切り換えるとともに、看板付近が明るいときは該受発電切換・点滅制御スイッチによって照明手段の光源に対する給電を遮断できるので、電力消費の無駄が無い。
この請求項４の発明を適用すると、ＬＥＤを光源としているので、大形看板を高照度で照明しても消費電力が少なく、その上、消費電力の大半を自然エネルギー（太陽光）で賄うので、商用電源の消費量が顕著に低減される。
商用電源の低減は、照明経費を節減し得るのみでなく、間接的ながら二酸化炭素の排出量を減らして、地球温暖化防止に貢献するところ多大である。
【００１６】
請求項５の発明に係る看板を適用すると、風の有るときに風力発電機が発生した直流電力を蓄電地に蓄えておいて、夜間営業の店舗看板を照明することができる。
しかも、整流器が併設されているので、風力発電電力の不足分は商用電源で補うことができる。このため、大型看板を充分に照明することもでき、風の無い時や風が弱い時にも所要の照明を行なうことができる。
また、ＬＥＤを光源としているので、調光が可能であって、光公害対策ができる。
その上、風力発電電力を備蓄する蓄電地と、商用電源を整流する整流器とが受発電切換・点滅制御スイッチによって切り換えるとともに、看板付近が明るいときは該受発電切換・点滅制御スイッチによって照明手段の光源に対する給電を遮断できるので、電力消費の無駄が無い。
この請求項５の発明を適用すると、ＬＥＤを光源としているので、大形看板を高照度で照明しても消費電力が少なく、その上、消費電力の大半を自然エネルギー（風力）で賄うので、商用電源の消費量が顕著に低減される。
商用電源の低減は、照明経費を節減し得るのみでなく、間接的ながら二酸化炭素の排出量を減らして、地球温暖化防止に貢献するところ多大である。
【００１７】
請求項６の発明に係る看板を適用すると、風が有るときに風力発電機が発生した直流電力を蓄電地に蓄えておいて、夜間営業の店舗看板を照明することができる。
しかも、整流器が併設されているので、風力発電電力の不足分は商用電源で補うことができる。このため、大型看板を充分に照明することもでき、風の無い時や風が弱い時にも所要の照明を行なうことができる。
また、ＬＥＤを光源としているので、調光が可能であって、光公害対策ができる。
本発明装置は、風力発電機の発電状態を監視し、充放電制御器に対して、風力発電機と整流器とを切り換える発電受電切換スイッチを有しているので、風力発電機の発電電力が無駄無く利用される。
い。
この請求項６の発明を適用すると、ＬＥＤを光源としているので、大形看板を高照度で照明しても消費電力が少なく、その上、消費電力の大半を自然エネルギー（太陽光）で賄うので、商用電源の消費量が顕著に低減される。
商用電源の低減は、照明経費を節減し得るのみでなく、間接的ながら二酸化炭素の排出量を減らして、地球温暖化防止に貢献するところ多大である。
【発明を実施するための最良の形態】
【００１８】
図６（Ａ）は、本発明に用いられるＬＥＤ内照型看板１の模式的な断面図である。基板１ｂに、多数のＬＥＤ１ｃが配列されている。その配列状態の１例を図６（Ｂ）に示す。
上記の基板を取り囲む外枠１ａが設けられ、この外枠を覆って透明板１ｄが配置されている。
上記透明板に看板文字や模様が描かれていて、内側から照明されて透過光を着色させ、看板としての機能を果たす。
この看板は、ＬＥＤを光源としているので調光が可能であり、例えば虫が寄り付かないようにする等の光公害対策が可能である。
【００１９】
図１は、本発明に係るＬＥＤ式看板の１実施形態を描いた系統図である。
本例のＬＥＤ内照型看板１はコンビニエンスストアなどのように深夜，早朝にも営業している店舗の看板（自立型、付帯型の何れをも含む）であって、前掲の図６を参照して説明したようにＬＥＤを光源としている。
符号２を付して示したのはソーラ発電器である。
符号４を付して示したのは、ＡＣ１００ＶまたはＡＣ２００Ｖの商用電源３を整流して、ＬＥＤ用電源として適正な直流出力を得る整流器である。
【００２０】
発電受電制御器９は、上記ソーラ発電器２または整流器４の何れか片方を、充放電制御器６に対して選択的に導通させる。
上記充放電制御器６は、ＬＥＤ内照型看板１に対して所要の直流電力を供給しつつ、蓄電地５を充電せしめる公知の機器である。
発電受電制御器９は、蓄電地５の充放電状態に応じてソーラ発電器２と整流器４とを選択的に切り換える。
【００２１】
すなわち、蓄電地５が充電状態であれば発電受電切換スイッチ７をソーラ発電器側に、
放電状態であれば整流器側に、切換え接続する。
これにより、日照の有無にかかわらず、蓄電地５は常に充電状態に保たれ、照明支援手段としての信頼性が高い。
本実施形態においては、昼間は手動開閉器１６をＯＦＦ操作するとともに、夜間はＯＮ操作する。
【００２２】
図２は前記と異なる実施形態を示す。前掲の図１と異なる点は、ソーラ発電器２に代えて風力発電機１０を設けたことである。
上記の風力発電機１０は、直流出力の機器を用いる。これのより、相互代替電源としての風力発電機１０と整流器４とが、充放電制御器６に対して等価となり、発電受電切換スイッチ７によって任意に選択接続することができる。
【００２３】
図３は、さらに異なる実施形態を示す。この実施形態におけるソーラ発電器２は、風力発電機（図示省略）で代替することもできる。ただし、ソーラ発電器と代替するためには、直流式の風力発電機であることを要する。
本図３の実施形態が前掲の図１，図２に比して異なる処は次の２点である。
ａ．環境光センサ８及び自動点滅スイッチ１１を設置した。
ｂ．自家発電（ソーラ又は風力）と商用電源との選択基準として、発電状態を用いた。  
【００２４】
充放電制御器６とＬＥＤ内照型看板１との間に自動点滅スイッチ１１を介装接続するとともに、ＬＥＤ内照型看板１の付近に環境光センサ８を配設し、該環境光センサ８の出力信号によって自動点滅スイッチ１１を開閉制御させる。
これにより、日没または雨天，曇天などのように環境が暗くなったとき、自動的に照明が点灯され、かつ、環境が明るくなると自動的に照明が消灯され、精神的な負荷や労力を要しないで消費電力の無駄が無くなる。  
【００２５】
発電受電切換制御器１４は、蓄電地５の充放電状態を基準にすることなく、自家発電（ソーラまたは風力）状態に応じて発電受電切換スイッチ７を切換え制御する。
これにより、自家発電の電力量が不足すれば商用電源３が自動的に導入される。
太陽光や風のような自然エネルギーは、環境を汚染しないという長所が有る反面、不規則に変化するという欠点を有している。しかし本実施形態においては、自家発電状態に応じて自動的に商用電源３を導入するという構成によって、上記自然エネルギーの欠点を補い、その長所（環境に優しい）を発揮させることができる。
【００２６】
図４は、前記と更に異なる実施形態を示す。この実施形態におけるソーラ発電器２は、風力発電機（図示省略）で代替することもできる。ただし、ソーラ発電器と代替するためには、直流式の風力発電機であることを要する。
前掲の図１、図２、および図３の実施形態においては、自家発電（ソーラまたは風力）の出力が、発電受電切換スイッチ７を経て充放電制御器６に供給され、この段階で蓄電地５を充電するようになっていたが、本図４の実施形態においては、自家発電（ソーラまたは風力）の出力が直接的に充放電制御器６に入力され、この当初の段階で蓄電地５の充電を行なうようになっている。
【００２７】
この図４の実施形態においては、受発電切換・点滅制御器１２によって充放電制御器６の作動状態を検知し、受発電切換・点滅制御スイッチ１３を作動させて自家発電電力と商用電源３との切換えを行なう。このようにして蓄電地５が保護されつつ、適正な放電許容限度まで放電せしめられて、自家発電電力が照明用の電力として有効に利用される。
自家発電電力だけでは照明できないときは、整流器４を介して商用電源３が導入され、ＬＥＤ内照型看板１の所要電力が確保される。
【００２８】
前記受発電切換・点滅制御器１２は、充放電制御器６の作動状態を監視するとともに、
環境光センサ８の出力信号を受けて受発電切換・点滅制御スイッチ１３を作動させ、明るいときは照明を消灯させる。
上記の機能を発揮させるため、本実施形態における受発電切換・点滅制御スイッチ１３は、イ．ＬＥＤ内照型看板１に対して充放電制御器６又は整流器４を選択的に接続する機能、および、ロ．ＬＥＤ内照型看板１に対して充放電制御器６と整流器４とを切り離す機能、の両方を備えたものとする。
【００２９】
図５は、前記と更に異なる実施形態を示す。本実施形態においては、自家発電用の機器として、交流電力を発生する交流風力発電機１５を設けた。
前掲の図１〜図４の実施形態においては、直流電力を発生するソーラ発電器、または、直流電力を発生する風力発電機をもちいたので、「直流か交流か」に着目した場合、
「整流された商用電源」と「充放電制御器を経ていない自家発電電力」とが等価であり、これらの両者を発電受電切換スイッチで選択していた。
【００３０】
本図５の実施形態では交流風力発電機１５を設けたので、「直流か交流か」に着目した場合、
「自家発電電力」と「整流されていない商用電源」とが等価である。従って、これらの両者を発電受電切換スイッチ７で選択した後に、その起源を問わず整流器４に供給して直流に変換する。
これにより、整流器４からＬＥＤ内照型看板１に至る電源回路構成が簡単になる。
【００３１】
さらに、本図５の実施形態においては、構成機器類の調達がよういである。すなわち、交流風力発電機１５は交流１００Ｖまたは交流２００Ｖの既製品をそのまま使用することができ、蓄電地５及び充放電制御器６は適宜の既製品を利用することができる。
この場合、ＬＥＤ内照型看板１の定格電圧および定格電流は、電源機器とバランスするように設定すればよい。
【図面の簡単な説明】
【００３２】
【図１】本発明に係る「発電手段を備えたＬＥＤ式看板」の１実施形態を示す模式的な系統図
【図２】前記と異なり、直流式の風力発電機を備えたＬＥＤ式看板の実施形態を示す模式的な系統図
【図３】前記と異なり、環境光センサと自動点滅スイッチとを備えたＬＥＤ式看板の実施形態を示す模式的な系統図
【図４】前記と更に異なり、受発電切換・点滅制御スイッチを制御する受発電切換・点滅制御器を備えたＬＥＤ式看板の実施形態を示す模式的な系統図
【図５】前記と更に異なり、交流式の風力発電機を備えたＬＥＤ式看板の実施形態を示す模式的な系統図
【図６】前記各実施形態に用いられているＬＥＤ内照型看板の光源構造を描いたものであって、（Ａ）は部分的に破断して描いた断面側面図、（Ｂ）は透明板を取り除いて部分的に破断した状態を描いた正面図
【符号の説明】
【００３３】
１…ＬＥＤ内照型看板
１ａ…外枠
１ｂ…基板
１ｃ…ＬＥＤ
１ｄ…透明板
２…ソーラ発電器
３…商用電源
４…整流器 
５…蓄電地 
６…充放電制御器 
７…発電受電切換スイッチ 
８…環境光センサ 
９…発電受電制御器 
１０…風力発電機（直流式） 
１１…自動点滅スイッチ 
１２…受発電切換・点滅制御器 
１３…受発電切換・点滅制御スイッチ 
１４…発電受電切換制御器 
１５…交流風力発電機 
１６…手動開閉器 
【図１】
2006337885.tif 000003
【図２】
2006337885.tif 000004
【図３】
2006337885.tif 000005
【図４】
2006337885.tif 000006
【図５】
2006337885.tif 000007
【図６】
2006337885.tif 000008